(57)【要約】【課題】主に埋込型モニター表示装置を可動可能に支持できる支持装置を提供する。【解決手段】相対する側面に引掛孔を有するモニター表示装置と、モニター表示装置の背面に重ねられるアングル用プレートと、モニター表示装置とアングル用プレートを互いに固定する取付アングルと、アングル用プレートに固定される可動式支持手段を有する。アングル用プレートは、略中央に可動式支持手段を固定する取付部と、モニター表示装置の背面に重ねたときの前記相対する側面に対応する側辺を略直角に折り曲げたアングル係止面とを有し、取付アングルは、前記引掛孔に係止可能な引掛片と、前記係止したときにモニター表示装置の背面から離反させる離反手段と、離反状態でアングル用プレートと固定するための固定手段を有する。【選択図】図５
2010032934.tif 000002
【特許請求の範囲】
【請求項１】
相対する側面に引掛孔を有するモニター表示装置と、モニター表示装置の背面に重ねられるアングル用プレートと、モニター表示装置とアングル用プレートを互いに固定する取付アングルと、アングル用プレートに固定される可動式支持手段からなるモニター表示装置の支持構造において、
アングル用プレートは、略中央に可動式支持手段を固定する取付部と、側面に対応する側辺を略直角に折り曲げたアングル係止面とを有し、
取付アングルは、前記引掛孔に係止可能な引掛片と、前記係止したときにモニター表示装置の背面から離反させる離反手段と、離反状態でアングル用プレートと固定するためのプレート固定手段を有することを特徴とするモニター表示装置の支持構造。
【請求項２】
アングル係止面は、アングル用プレートをモニター表示装置に重ねたときの左右側辺及び上辺に形成されることを特徴とする請求項１記載のモニター表示装置の支持構造。
【請求項３】
取付アングルは、モニター表示装置の側面に対向する主面と、モニター表示装置の背面に対向する副面を有し、前記引掛片は、主面の左右肩部分からモニター表示装置の前面側に延設されていることを特徴とする請求項１及び２記載のモニター表示装置の支持構造。
【発明の詳細な説明】
【技術分野】
【０００１】
本発明は、主に盤面埋込型として使用されるモニター表示装置を可動可能に支持する取付アームに装着するための支持構造に関するものである。
【０００２】
盤面埋込型として使用されるモニター表示装置は、表示装置の前面周縁部と盤面を挟持することで、モニター表示装置を盤面に装着している。詳しくは、盤面の前面より表示装置を取り付ける。次に、表示装置の上下左右側面に各々設けられた一対の孔部に引掛けられ、盤面の背面部との距離を調整できる取付アングルを使用して盤面に対してモニター表示装置を装着している。
【０００３】
このような盤面埋込型のモニター表示装置は、表示画面が大型化する一方、内部デバイスの薄型化等により、奥行き方向については薄型化が進んでいる。また、その電磁波対策等の使用環境に応じた構成を筐体に施しており、そのモニター表示装置への信頼感から、一度使用されると次の機会でも使用を望まれるという特性がある。
【０００４】
ところで、表示装置を可動可能に支持する機構を設けたものがある。（例えば特許文献１参照。）
【０００５】
【特許文献１】特開２００８−５１９６８号公報
【発明の開示】
【発明が解決しようとする課題】
【０００６】
特許文献１では、取付プレート４のディスプレイ１１の後面への取付けは、螺子などにより行われる。その為、螺子が挿入されるディスプレイ１１の内部には、螺子を十分に支持できるための空間を設ける必要がある。
【０００７】
このような支持機構を盤面埋込型のモニター表示装置の耐環境特性を備えたまま、使用したいとの要望があるが、薄型化されたモニター表示装置の内部には、特許文献１にあるような取付プレート４用のビスを支持できる程度の空間を設けることができない。
そこで、本発明の目的は、薄型化された盤面埋込型のモニター表示装置の内部機構等を維持したまま、モニター表示装置を可動可能に支持しうる支持構造を提供することである。
【課題を解決するための手段】
【０００８】
上記の目的を達成するための支持装置は、相対する側面に引掛孔を有するモニター表示装置と、モニター表示装置の背面に重ねられるアングル用プレートと、モニター表示装置とアングル用プレートを互いに固定する取付アングルと、アングル用プレートに固定される可動式支持手段からなるモニター表示装置の支持構造において、アングル用プレートは、略中央に可動式支持手段を固定する取付部と、側面に対応する側辺を略直角に折り曲げたアングル係止面とを有し、取付アングルは、前記引掛孔に係止可能な引掛片と、前記係止したときにモニター表示装置の背面から離反させる離反手段と、離反状態でアングル用プレートと固定するためのプレート固定手段を有することを特徴とする（請求項１）。この発明によれば、既存の盤面埋込型のモニター表示装置にアングル用プレートを使用することで、可動可能なモニター表示装置として提供できる。
【０００９】
また、  アングル係止面は、アングル用プレートをモニター表示装置に重ねたときの左右側辺及び上辺に形成してもよい（請求項２）。この発明によれば、モニター表示装置を水平方向及び垂直方向に可動しても、アングル用プレートのモニター表示装置の背面への係止が維持されるため好ましい。さらに、取付アングルは、モニター表示装置の側面に対向する主面と、モニター表示装置の背面に対向する副面を有し、前記引掛片は、主面の左右肩部分からモニター表示装置の前面側に延設してもよい。この発明によれば取付アングルを簡単に構成できるため好ましい。
【発明を実施するための最良の形態】
【００１０】
以下では、本発明の実施の形態を、添付図面を参照して詳細に説明する。図１は、本発明のモニター表示装置に支持装置を取り付けた状態を示す正面図である。図２は図１の右側面図であり、図３は図１の背面図であり、図４は図１の平面図である。
【００１１】
図１を参照して、モニター表示装置１は、表示面１１を前面に有している。
【００１２】
図１乃至４を参照して、可動式取付器具２が、アングル用プレート４及び取付アングル３（取付アングル３１，３２，３３，３４）を介して、モニター表示装置１の本体部１６の背面１５側に固定されている。可動式取付器具２の可動部２２は水平及び垂直方向に可動可能で、そのためモニター表示装置１は可動式取付器具２に対して可動可能に支持される。本体部１６は、モニター表示装置１の制御部や外部との通信インターフェースを備える部分である。
【００１３】
図２乃至４を参照して、本体部の１６の右側面１２には１対の引掛孔１２ｂ、左側面１４には１対の引掛孔１４ｂ（図示せず）が設けられている。引掛孔１２ｂと引掛孔１４ｂは水平方向で略同高さ位置に設けられ、その孔サイズ、背面１５からの距離も略同等である。また、１対の引掛孔１２ｂの各孔間距離と、１対の引掛孔１４ｂの各孔間距離も略同等である。なお、実施例では、それら一対の引掛孔１２ｂ，１４ｂが１つの平面上に位置しているが、引掛孔１２ｂ、１４ｂは、取付アングル３１及び３４の一対の引掛片３１ｃ、３４ｃが引掛けられるようになっておればよい。
【００１４】
本体部１６の上面１３には、右側に１対の引掛孔１３ｂと、左側に１対の引掛孔１３ｃが設けられている。引掛孔１３ｂ、１３ｃは、その孔サイズ、背面１５からの距離、１対の各孔間の距離が互いに略同等である。なお、実施例では、上面１３に２組の引掛孔１３ｂ，１３ｃを設けているが、１組の引掛孔のみを設けてもよい。また、引掛孔１３ｂ，１３ｃの各孔は、１直線上に設けられているが、引掛孔１３ｂ，１３ｃが、取付アングル３２及び３３の１対の引掛片３２ｃ，３３ｃが引掛けられるようになっておればよい。
【００１５】
本体部１６の上面１３には、内部部品からの発熱を放熱するための略長孔形状の放熱孔１３ａが設けられている。また、本体部１６の背面側の上部付近に放熱孔１５ａ、下部付近に放熱孔１５ｂが設けられている。
【００１６】
図２を参照して、電源線や通信線を接続するためのコネクタ部分を収容する本体部１６の上側部分、つまり、放熱孔１５ａがある平面部分に対応する部分は、放熱孔１５ｂがある本体部１６の下側平面部分に対応する部分よりも奥行き方向で厚くなっている。
【００１７】
図２乃至４を参照して、本体部１６の一対の引掛孔１２ｂ，１３ｂ，１３ｃ，１４ｂに対応するよう、取付アングル３１，３２，３３，３４が設けられている。これら取付アングル３１，３２，３３，３４は、全て同一形状、サイズのものであり、背面１５に対向配置されたアングル用プレート４と、本体部１６を挟持している。
【００１８】
アングル用プレート４は、本体部１６の背面１５と略同一の大きさで構成される。詳しくは、背面１５のうち、放熱孔１５ａが設けられた主平面とアングル用プレート４は、略同一の大きさで構成される。アングル用プレート４の上部及び左右部には、取付アングル３１，３２，３３，３４が取り付けられ、背面１５の略中央部分に可動式取付器具２の可動部２２が取り付けられている。また、アングル用プレート４の上部付近には、本体部１６の背面１５に設けられた放熱孔１５ａに対応するように、放熱窓４５が設けられている。
【００１９】
図５は、本発明のモニター表示装置と支持装置の右側面から見た分解組立図であり、図６は、図５の底面から見た分解組立図である。また、図７は、本発明に係るアングル用プレートを示す図であり、図８は本発明に係る取付アングルを示す図、図９は本発明に係るプレート取付部を示す図である。
【００２０】
図５乃至８を参照して、本発明に係る表示装置の支持装置の組立方法を説明する。まず、表示面１１を下側に向けてモニター表示装置１を平らな面に置き、上面１３及び左右側面１２，１４に沿うようにアングル用プレート４を背面１５に重ねる。次に取付アングル３１，３２，３３，３４の各引掛片３１ｃ，３２ｃ，３３ｃ，３４ｃを、主面３１ａ，３２ａ，３３ａ，３４ａが背面方向に延びるよう、本体部１６の対応する引掛孔１２ｂ，１３ｂ，１３ｃ，１４ｂに引掛ける。そして、取付アングル３１，３２，３３，３４のネジ孔３１ｇ，３２ｇ，３３ｇ，３４ｇに調整用ネジ３１ｂ，３２ｂ，３３ｂ，３４ｂを挿入、締めることで、取付アングル３１，３２，３３，３４が移動しないよう仮止めされる。そうすると仮止めした各取付アングル３１，３２，３３，３４の主面３１ａ，３２ａ，３３ａ，３４ａにある一対のネジ孔３１ｈ，３２ｈ，３３ｈ，３４ｈが、アングル用プレート４のアングル係止面４１，４２，４３にある挿通ネジ用孔４１ａ，４２ａ，４２ｂ，４３ａが略一致する。そこで、挿通ネジ３１ｄ，３２ｄ，３３ｄ，３４ｄを使用し、各取付アングル３１，３２，３３，３４をアングル用プレート４に固定することができる。
【００２１】
次にアングル用プレート４に可動式取付器具２を取り付けることで、本発明の表示装置の支持構造が提供される。以下、詳細に述べる。
【００２２】
図５乃至７を参照して、アングル用プレート４は、鉄やステンレスからなる板状部材であって、その左右及び上片を可動式取付器具２側に向かって、略直角に折り曲げている。なお、アングル用プレート４を背面１５に重ねるとき、その折り曲げられた部分を可動式取付器具２側から見て左側部分がアングル係止面４１、上側部分がアングル係止面４２、右側部分がアングル係止面４３である。アングル係止面４１には取付アングル３１が、アングル係止面４２には取付アングル３２及び３３が、アングル係止面４３には取付アングル３４が対応する。
【００２３】
モニター表示装置１を取り付けた際の強度を維持するため、アングル用プレート４の下部は、前面側から背面側に向かって略Ｕ字状に折り曲げられた厚肉部４６を有する。アングル用プレート４の水平方向略中央部には背面側に突出した４つの膨出部４８がある。各膨出部４８には可動式取付器具２のプレート取付部２１のプレート取付孔２４に対応したアーム取付部４４が設けられる。なお、その膨出部４８は、各膨出部４８ａ，４８ｂ，４８ｃ，４８ｄからなり、各々に対応するようにアーム取付部４４としての取付穴４４ａ，４４ｂ，４４ｃ，４４ｄが設けられており、プレート取付部２１の各取付孔２４ａ，２４ｂ，２４ｃ，２４ｄを介してプレート取付ネジ２５（各取付ネジ２５ａ，２５ｂ，２５ｃ，２５ｄ）を挿通、固定したとき、プレート取付ネジ２５の先端が膨出部４８の前面側窪み（図示せず）に収容される。つまり、プレート取付ネジ２５の先端が本体部１６に接触することなく、固定される。アングル用プレート４の主面４７には、本体部１６の背面に設けられた放熱孔１５ａに対応するよう、放熱窓４５が設けられている。
【００２４】
図５乃至８を参照して、本発明に係る取付アングル３１，３２，３３，３４は同一部品であり、ここでは取付アングル３３を中心に述べる。取付アングル３３は、本体部１６の上面１３に対向する主面３３ａと、主面３３ａの左右肩部分から前方に延設された引掛片３３ｃと、主面３３ａを略直角折り曲げ、背面１５に対向する副面３３ｅからなる。
【００２５】
主面３３ａには、本体部１６に引掛けた状態での放熱孔１３ａに対応した位置に、放熱孔１３ａと略同等形状の放熱孔３３ｆがあって、本体部１６内から放熱機能を損なわないようにしている。また、放熱孔３３ｆを主面３３ａに対して過度に大きくしていないため、モニター表示装置１を可動式取付器具２で支持したとき、取付アングル３３が破損することなく確実に支持でき、且つモニター表示装置１の放熱機能を維持できる。
【００２６】
一対の引掛片３３ｃは、上面１３の一対の引掛孔１３ｃに同時に引掛り、上面１３と主面３３ａが近接した状態で略平行になる。また、アングル用プレート４をモニター表示装置１の背面１５に重ね、取付アングル３３を取付けたとき、副面３３ｅはアングル係止面４２を内包する。つまり、引掛片３３ｃと副面３３ｅの間の最短長さは、アングル用プレート４を背面１５に重ねたときの引掛孔１３ｃと、アングル係止面４２の最奥部（先端部）との間の最短長さよりも長くなっている。また、このとき、取付アングル３３は、モニター表示装置１に仮止めされた状態になる。なお、モニター表示装置１にアングル用プレート４を重ね、取付アングル３１，３２，３４を引掛けたときも取付アングル３３と同様、各副面３１ｅ，３２ｅ，３４ｅは各々アングル係止面４１，４２，４３を内包する。
【００２７】
取付アングル３３を引掛孔１３ｃに引掛けたとき、取付アングル３３の副面３３ｅと、アングル用プレート４が略平行に対向する。副面３３の略中央に穿設されたネジ孔３３ｇに調整用ネジ３３ｂを挿入し、その調整用ネジ３３ｂの先端をアングルプレート４の主面４７に押し当てねじると、副面３３とアングル用プレート４が離反する方向に移動する（離反手段）。そうすると、副面３３ｅが奥側（可動式取付器具２側）に移動することになり、引掛片３３ｃが引掛孔１３ｃに密着するよう固定される（プレート固定手段）。
【００２８】
このとき主面３３ａに一対で穿設されたネジ孔３３ｈと、アングル係止面４２に一対で穿設され、奥行き方向に延びたネジ孔４２ｂが一直線状になる。ネジ孔３３ｈに挿通ネジ３３ｄを挿入、固定することで、取付アングル３３とアングル用プレート４を互いに固定する。さらに、他の取付アングル３１，３２，３４も同様、穿設したネジ孔３１ｈ，３２ｈ，３４ｈに挿通ネジ３１ｄ，３２ｄ，３４ｄを挿入、固定することで各取付アングルとアングル用プレート４を固定する。取付アングル３１，３２，３３，３４がアングル用プレート４に固定されると、アングル用プレート４とモニター表示装置１が互いに密接した状態で固定されることになる。
【００２９】
図５乃至９を参照して、アングル用プレート４と可動式取付器具２のプレート取付部２１の固定につき説明する。アングル用プレート４の膨出部４８に穿設された取付孔４４ａ，４４ｂ，４４ｃ，４４ｄと、プレート取付部２１に穿設された取付孔２４ａ，２４ｂ，２４ｃ，２４ｄが取付ネジ２５ａ，２５ｂ，２５ｃ，２５ｄで固定され、プレート取付部２１とモニター表示装置１の固定がなされる。
【００３０】
可動式取付器具２は、アングル用プレート４が固定されるプレート取付部２１と、そのプレート取付部２１を上下左右に可動しうる可動部２２と、可動部２２を安定した状態で支持するための主体部２３からなる。可動部２２は、プレート取付部２１と固定可能なアーム側取付部２６を有している。アーム側取付部２６は主体部２３に対し可動可能である。またアーム側取付部２６は、プレート取付部２１の四辺から後方に延設された延設片２１ａで囲まれた空間に挿入された後、延設片２１ａとネジ等で固定される。
【００３１】
以上のように、本発明によれば埋込型モニター表示装置の側面にある引掛孔に対応する取付アングルと、取付アングルに挟持されるアングル用プレートを使用することで、埋込型モニター表示装置自体を設計変更することなく、可動可能なモニター表示装置として提供することができる。
【図面の簡単な説明】
【００３２】
【図１】本発明の支持構造が採用されたモニター表示装置の正面図
【図２】本発明の支持構造が採用されたモニター表示装置の右側面
【図３】本発明の支持構造が採用されたモニター表示装置の背面図
【図４】本発明の支持構造が採用されたモニター表示装置の平面図
【図５】本発明の支持構造が採用されたモニター表示装置の右側面から見た分解組立図
【図６】本発明の支持構造が採用されたモニター表示装置の底面から見た分解組立図
【図７】本発明の支持構造に使用されるアングル用プレートを示す図
【図８】本発明の支持構造に使用される取付アングルを示す図
【図９】本発明の支持構造にしようされるプレート取付部を示す図
【符号の説明】
【００３３】
１        モニター表示装置
１２      右側面
１２ｂ    引掛孔
１３      上面
１３ｂ    引掛孔
１３ｃ    引掛孔
１４      左側面
１５      背面
１６      本体部
２        可動式取付器具
２１      プレート取付器具
２１ａ    延設片
２２      可動部
２４      プレート取付孔
２５      プレート取付ネジ
３        取付アングル
３１      取付アングル
３２      取付アングル
３３      取付アングル
３３ｂ    調整用ネジ
３３ｃ    引掛片
３３ｄ    挿通ネジ
３３ｅ    副面
３４      取付アングル
４        アングル用プレート
４１      アングル係止面
４１ａ    挿通ネジ孔
４２      アングル係止面
４２ａ    挿通ネジ孔
４２ｂ    挿通ネジ孔
４３      アングル係止面
４３ａ    挿通ネジ孔
４４      アーム取付部
４７      主面
４８      膨出部
【図１】
2010032934.tif 000003
【図２】
2010032934.tif 000004
【図３】
2010032934.tif 000005
【図４】
2010032934.tif 000006
【図５】
2010032934.tif 000007
【図６】
2010032934.tif 000008
【図７】
2010032934.tif 000009
【図８】
2010032934.tif 000010
【図９】
2010032934.tif 000011